(57)【要約】【課題】  従来の貝類洗浄装置では、スムースに貝を移送できず、また貝を傷めたりしていた。【解決手段】  貝移動通路の上方に貝移送体を配置し、その移送中に、貝移動通路の外側方から貝移動通路内に突出して移送中の貝の表面の汚れを除去する汚れ除去具を備えた貝表面清浄機において、前記貝移送体は回転式回転走行体の外周面に多数枚の送り片を間隔をあけて取付けたものであって、回転走行体の下方走行部を下方に押して、送り片を貝移動通路内の貝に押し付ける押し具を設けた。また、貝移動通路と貝移送体を別体に形成し、貝移送体はその出口側を回動可能に貝移動通路側に取付け、入口側は出口側の取付け部を支持点として上方に開くように開閉可能とした。また、回転走行体の下方走行部の出口側を上り傾斜とした。汚れ除去具の回転軸の入口側の端部にユニバーサルジョイントを備えた。【選択図】      図１
2005192428.tif 000002
【特許請求の範囲】
【請求項１】
上方開口の貝移動通路内の貝を貝移動通路の上方に配置された回転式の貝移送体により貝移動通路の入口側から出口側に移送し、貝移動通路内を移送される貝の表面の汚れを貝移動通路の外側方に設けられた回転式の汚れ除去具により除去する貝表面清浄機において、前記貝移送体は回転走行体の外周面に多数枚の送り片が間隔をあけて取付けられ、前記回転走行体の下方走行部が押し具により下方に押されて、下方走行部の送り片が貝移動通路内を移送される貝側に押されることを特徴とする貝表面清浄機。
【請求項２】
上方開口の貝移動通路内の貝を貝移動通路の上方に配置された回転式の貝移送体により貝移動通路の入口側から出口側に移送し、貝移動通路内を移送される貝の表面の汚れを貝移動通路の外側方に設けられた回転式の汚れ除去具により除去する貝表面清浄機において、前記貝移動通路と貝移送体が別体に形成され、貝移送体はその出口側が回動可能に貝移動通路側に取付けられ、入口側は出口側の取り付け部を支持点として上方に開くように開閉可能であることを特徴とする貝表面清浄機。
【請求項３】
上方開口の貝移動通路内の貝を貝移動通路の上方に配置された回転式の貝移送体により貝移動通路の入口側から出口側に移送し、貝移動通路内を移送される貝の表面の汚れを貝移動通路の外側方に設けられた回転式の汚れ除去具により除去する貝表面清浄機において、前記貝移送体は回転走行体の外周面に多数枚の送り片が間隔をあけて取付けられ、回転走行体の下方走行部の出口側が貝移動通路から離れるように上り傾斜であることを特徴とする貝表面清浄機。
【請求項４】
上方開口の貝移動通路内の貝を貝移動通路の上方に配置された回転式の貝移送体により貝移動通路の入口側から出口側に移送し、貝移動通路内を移送される貝の表面の汚れを貝移動通路の外側方に設けられた回転式の汚れ除去具により除去する貝表面清浄機において、前記汚れ除去具は貝移動通路の両外側に設けられ、夫々の汚れ除去具は貝移動通路に沿って配置される回転軸に掻き取り具が取付けられ、夫々の回転軸がユニバーサルジョイントを介して駆動軸に連結されたことを特徴とする貝表面清浄機。
【発明の詳細な説明】
【技術分野】
【０００１】
本発明は、貝移動通路内の貝を貝移動通路の上方に配置された回転式の貝移送体により貝移動通路の入口側から出口側に移送し、貝移動通路内を移送される貝の表面の汚れを貝移動通路の外側方に設けられた回転式の汚れ除去具により除去する貝表面清浄機に関するものである。
【背景技術】
【０００２】
従来、帆立貝等の貝類の殻の表面に付着している付着物を清浄する貝表面清浄機としては、特許文献１に示すように、側面Ｖ字状の貝移動通路内の貝を、回転移送体により移送し、移送中に、掃除具の爪を貝表面に接触させて、爪で貝表面に付着している付着物を掻き落すようにしたものがある。前記貝移動通路は棒材を間隔をあけて左右２列に配置し、左右列の棒材を配列方向に互い違いにずらして又は向かいあわせて形成されており、各列の隣合う棒材間を開口部としてある。前記貝移送体は貝移動通路の上方に配置した回転ベルトに送り片を取付けてあり、爪が貝移動通路の上方開口部から貝移動通路内に突出し、そのベルトの回転により貝移動通路内の貝を送り片により回転させながら移動させるようにしてある。前記掃除具は、回転帯に爪が取り付けられており、その爪が前記開口部から貝移動通路の内側に突出して、貝表面の付着物を掻き落とすようにしてある。掻き落とした付着物は、前記開口部の下方部から貝移動通路外へ落として排出することができる。
また、貝移送体には、回転ベルトの両端の回転軸の軸受けを上下方向にスライド可能として、通過する貝の大きさや形状に対応して回転して上下動できるようにした。
【０００３】
【特許文献１】実公昭５２−４３６７６号公報。
【発明の開示】
【発明が解決しようとする課題】
【０００４】
従来の貝表面清浄機は次のような課題があった。
（１）回転移送体の高さ位置が固定の場合は、貝への貝移送体の接触が不十分になり、貝を確実に送り出すことができない。また、回転移送体が動かないため、移送する貝が割れたり、貝移動通路内に貝が詰まったり、掻き落とした付着物が詰まったりもしていた。
（２）回転ベルトの両端の回転軸の軸受けを上下方向にスライド可能として、通過する貝の大きさや形状に対応して回転して上下動できるものであっても、貝が大きい場合は貝が貝移動通路の間に挟まったりして、スムースに移送することができない。
（３）貝が貝移動通路内で引っ掛かった場合や、貝移動通路内を掃除・点検等する際には、貝移動通路の棒材間の隙間から、棒などをさしこんで押し出したりしなければならず、手間を要していた。
（４）出口側近くまで、回転ベルトに取付けられた送り片によって移送される貝が、貝移動通路内で勢いが付き過ぎ、出口側の壁面に叩き付けられる等して貝殻が壊れてしまうこともある。
（５）従来の貝表面清浄機の掃除具の爪は、帆立貝等の貝殻の形状は、中央部が外側に膨らみ、外周部が薄くなっているが、その形状に追随しきれず、Ｖ字形状の貝移動通路内を移動する貝の中央部（膨らんだ部分）にしか当たらないため、貝表面への爪の接触位置が常に一定であり、貝の薄い外周部まで万遍無く清浄することが困難であった。
（６）従来の貝表面清浄機は、貝移動通路内にゴミが詰まった場合等は、危険防止のため回転移送体及び掃除具の回転を止めて掃除等を行う必要があるが、従来の貝表面清浄機は、駆動源の回転力を直接回転移送体及び掃除具に伝達する構成であるため、その回転を止めるには、駆動源の回転を毎回止めるしかなく、一端止めた後の再始動に時間がかかっていた。
【課題を解決するための手段】
【０００５】
本発明は、大きさや形状の貝を確実且つスムースに、出口側で損傷させることもなく移送することができ、貝移動通路内の掃除や点検等も容易に行うことができ、貝の薄い外周部まで万遍無く清浄することができるものである。
【０００６】
本件出願の貝表面清浄機は、上方開口の貝移動通路内の貝を貝移動通路の上方に配置された回転式の貝移送体により貝移動通路の入口側から出口側に移送し、貝移動通路内を移送される貝の表面の汚れを貝移動通路の外側方に設けられた回転式の汚れ除去具により除去する貝表面清浄機において、前記貝移送体は回転走行体の外周面に多数枚の送り片が間隔をあけて取付けられ、前記回転走行体の下方走行部が押し具により下方に押されて送り片が貝移動通路内を移送される貝に押し付けられるものである。前記貝移動通路と貝移送体は別体に形成され、貝移送体はその出口側が回動可能に貝移動通路側に取付けられ、入口側が出口側の取り付け部を支持点として上方に開くように開閉可能としてある。前記貝移送体は回転走行体の外周面に多数枚の送り片が間隔をあけて取付けられ、回転走行体の下方走行部の出口側が貝移動通路から離れるように上り傾斜としてある。前記汚れ除去具は貝移動通路の両外側に設けられ、夫々の汚れ除去具は貝移動通路に沿って配置される回転軸に掻き取り具が取付けられ、夫々の回転軸がユニバーサルジョイントを介して駆動軸に連結されている。
【発明の効果】
【０００７】
本件出願の貝表面清浄機には次のような効果がある。
（１）貝移送体の回転走行体の下方走行部が押し具により下方に押されて、回転走行体にとり付けられている送り片が貝移動通路内を移送される貝に押し付けられるので、回転走行体の下方走行部が貝の大きさや形状変化に追随でき、様々な大きさや形状の貝を確実且つスムースに移送することができる。
（２）貝移動通路と貝移送体が別体に形成され、貝移送体はその出口側が回動可能に貝移動通路側に取付けられ、入口側は出口側の取り付け部を支持点として上方に開くように開閉可能であるので、貝移送体の入口側が貝の大きさや形状、付着物の付着状況等に追随して上下動して、大きさや形状の異なる貝を確実且つスムースに移送することができる。また、貝移動通路内に貝が詰まったり、貝移動通路内を掃除する場合に、貝移送体の入口側を上方まで開くことによって、貝移動通路内に詰まった貝を容易に除去したり、貝移動通路内や貝移送体の掃除、点検、修理等がし易くなる。
（３）回転走行体の下方走行部の出口側が貝移動通路から次第に離れるように上り傾斜であるので、回転走行体の下方走行部の上り傾斜部分の送り片が貝移動通路内の貝に当たる接触面積が次第に小さくなり、貝の送り力が出口側で弱められ、移送速度が落ちるため、貝が損傷することもない。
（４）汚れ除去具の二本の回転軸がユニバーサルジョイントを介して駆動軸に連結されているので、回転軸が傾斜していても水平な駆動軸に連結でき、しかも駆動軸の回転力が確実に回転軸に伝達される。このため、傾斜角度、傾斜方向の異なる二本の回転軸同士を水平な駆動軸に連結して一つの動力源で回転させることができる。
【０００８】
本発明のうち、前記した、回転走行体の下方走行部を押し具により下方に押す構成、貝移送体の入り口側を出口側の取り付け部を支持点として上方に開く構成、回転走行体の下方走行部の出口側を貝移動通路から離れるように上り傾斜とする構成、回転軸をユニバーサルジョイントを介して駆動軸に連結する構成、の２以上の構成を組み合わせれば、組み合わせた夫々の構成が有する効果を合わせた効果が得られる。
【発明を実施するための最良の形態】
【０００９】
（実施形態１）
本発明の貝表面清浄機の実施形態を図面を参照して説明する。この実施形態の貝表面清浄機は、図１に示すように、四角い枠形の架台１の夫々のコーナーに支持脚２を備え、該架台１に貝移動通路３を備え、貝移動通路３の上部に貝移送体４及び駆動源収容箱１１及びクラッチ２４を備え、貝移動通路３の左右両側に回転式の汚れ除去具５ａ、５ｂを備えてなる。
【００１０】
前記貝移動通路３は、図５（ａ）に示すように多数本の棒材７を左列と右列に向かい合わせて互い違いに一本ずつ位置をずらして並べ、棒材７の上端から下端に向けて内側に傾斜させて側面形状をＶ字状にしてある。多数本の棒材７は、向かいあわせて並べることもできる。左列と右列の夫々の棒材７は上端部を架台１に溶接とか他の手段で固定し、下端同士は互いに接触しないように隙間をあけて交差させて底面７７を形成している。貝移動通路３は、その底面７７の上を貝が脱落することなく移動できるようにすると共に、貝表面から掻き落とされたゴミがその隙間から落下して貝移動通路３内に溜まらないようにしてある。また、左列と右列の夫々の棒材７を間隔をあけて配置して、隣接する棒材７の間の空間を開口部８としてある。棒材７同士の間隔による開口部８は前記汚れ除去具５の爪９の幅よりも広くして、爪９がその開口部８から貝移動通路３内に突出できるようにしてある。左列と右列の棒材７の上端は離れたまま（開口したまま）にして、貝移動通路３を上面開口にしてある。図１に示すように貝移動通路３の入口５０側の上方開口部６には貝を投入するためのホッパー５５が備えられている。ホッパー５５は上方広がりであり、下方が細くなって、投入された貝を貝移動通路３内に案内できるようにしてある。
【００１１】
前記貝移送体４は図１〜４に示すように、回転式の回転走行体３１の外周面に送り片１０を間隔をあけて取付けたものである。回転走行体３１には、無端のチェーンやベルトコンベア等、任意のものを用いることができる。貝移送体４は、送り片１０の先端部が貝移動通路３の上方開口部６（図５参照）から貝移動通路３内に入り込むようにしてあり、回転走行体３１を図３の駆動源２３により図１の矢印ａ方向（貝移動通路３の入口５０側から出口６０側）に回転（走行）させると、送り片１０も回転して貝移動通路３内の貝を貝移動通路３の出口６０側に送り出すようにしてある。この場合、貝は回転しながら貝移動通路３内を移送される。前記送り片１０には例えば硬質製のゴム板や樹脂板等が適し、その形状は図４（ｂ）に示すように貝移動通路３のＶ字形状に合わせて先端部の幅を細くしてある。送り片１０は図４（ａ）に示すように回転走行体３１の進行方向に対して先端を後方に傾斜させて取付けてある。
【００１２】
前記貝移送体４は図１〜４に示すように、箱型のカバー３０の内側に収容されている。前記カバー３０は、底面及び入口５０側の面が開口された箱型の筐体であって、貝移送体４の上方走行部３３を収納可能な大きさに形成されている。カバー３０は横長板状のフーム３８に固定されている。カバー３０の側面の入口５０側には貝移送体４を上方に押し上げたり、持ち上げたりするためのハンドル３４が取り付けられている。カバー３０は側面や上面に窓や溝を開口して、その内側の貝移送体４をカバー３０の外から見ることができるようにすることも可能である。
【００１３】
前記回転走行体３１内部には、図１、図４に示すように、前記貝移動通路３の入口５０側に駆動輪３６が、出口６０側に従動輪３５が備えられ、それら駆動輪３６と従動輪３５に回転体３７が掛けられている。図１〜図４では駆動輪３６及び従動輪３５にスプロケットを使用してあるが、それらにはプーリー、ドラム等を使用することもできる。駆動輪３６の回転軸４０ａ、従動輪３５の回転軸４０ｂの両端はその両側に配置されている横長板状のフレーム３８にベアリング式の回転軸受により回転可能に取付けられている。前記回転体３７にはチェーンが使用されているが、駆動輪３６、従動輪３５がプーリー、ドラム等の場合はベルト等を使用することになる。
【００１４】
図１、図２に示すように、貝移送体４の駆動輪３６の回転軸４０ａは、架台１の上に立設した取付け枠４１のブラケット４１ａにベアリング式軸受けを用いる等して回動可能に固定されている。貝移送体４の従動輪３５の回転軸４０ｂは架台１には固定せずにフリーにして上下動可能とし、貝移送体４の入口５０側をも上下動可能としてある。回転軸４０ｂがフリーになっていても貝移送体４の入口５０側は自重で図１のように水平になっている。このようにフリーにすることにより、貝移動通路３内を大きな貝が移動したり、貝同士が高さ方向に重なったりして、貝により回転走行体３１が強く上方に押上げられると、貝移送体４の入口５０側が図１の矢印ｂ方向に押されて、その押し上げに追随して上下動することができる。この場合、貝移送体４の入口５０側が不用意に浮き上がり、がたついたりする虞れがある場合は、貝移送体４の入口５０側をばね４３で架台１に繋ぎ、そのばね４３で貝移送体４の入口５０側を貝移動通路３方向に引いておくようにすることもできる。或いは、貝移送体４の入口５０側に、がたつき防止用の錘を取付けることもできる。
【００１５】
前記のようにフリーにして貝移送体４の入口５０側を上下動可能としておくことにより、ハンドル３４を図１の矢印ｂ方向に持ち上げたり、押し上げたりして、回転軸４０ａを支持点として略真上まで開くことができる。この場合、図２に示すように、支持棒４２を前記ハンドル３４と架台１との間に立てて、支持棒４２を前記ハンドル３４で支えて、貝移送体４の入口５０側を上方に開いた状態に保持できるようにしてある。上方に開いた貝移送体４の入口５０側の支持は、支持棒４２に限られず、レバーロックを備える等、任意の手段によって行うこともできる。
【００１６】
前記回転軸４０ａは取付け枠４１のブラケット４１ａへの取付ける高さを変えることができるようにしてあり、貝移動通路３内を移送される貝の大きさに合わせて貝移送体４の出口６０側の高さを調節して、貝移送体４の出口６０側の送り片１０が貝移動通路３内の貝に接触しやすくなって、送り片１０による貝の送り出しが確実になるようにしてある。
【００１７】
図２、図４（ａ）に示すように回転走行体３１の内側には二つのガイドローラー３９ａ、３９ｂが配置されている。一方のガイドローラー３９ａはフレーム３８の下部両側方に一本ずつ備えられたアーム４５の先端側のブラケット４５ａに支持軸４５ｂにより回転可能に取付けられている。アーム４５はその基端部が軸４６によってフレーム３８に回動可能に取付けられ、先端部が、フレーム３８の両外側部分を縦向きに貫通する縦ロッド４７の下端部に回動自在に連結されている。縦ロッド４７の上端部には引きばね（スプリング）４４ａの上端部が連結され、またスプリング４４ａの下端部はカバー３０の下部に固定され、このスプリング４４ａにより縦ロッド４７に下向きの力が付勢され、これにより縦ロッド４７が下方に押されると、アーム４５の先端部は軸４６を支点として下方に押される。これにより、アーム４５に取付けられたガイドローラー３９ａが下方に押され、ガイドローラー３９ａにより回転走行体３１の下方走行部３２が下方に押され、下方走行部３２の送り片１０が貝移動通路３内の貝が確実に送られるようにしてある。
【００１８】
他方のガイドローラー３９ｂは、フレーム３８の内側に対向させて、軸４６に回動可能に取付けられている二枚の三角板４８の一つの頂点部に支持軸４８ａにより回転可能に取付けられている。また、三角板４８の上方頂点部には引きばね（スプリング）４４ｂの一端が係止され、スプリング４４ｂの他端はフレーム３８に固定されて、三角板４８の頂点部を常時図４（ａ）の左側に引いている。これにより、三角板４８は軸４６を中心にして引かれた方向に回動し、ガイドローラー３９ｂが取付けられている頂点部（図４ａの左角）が下向きに回動し、その頂点部に取付けられているガイドローラー３９ｂが下方に押されて、そのガイドローラー３９ｂによって回転走行体３１の下方走行部３２が下方に押され、下方走行部３２の送り片１０が貝移動通路３内の貝が確実に送られるようにしてある。
【００１９】
前記スプリング４４ａ、４４ｂは図示したコイルばねに限らず、板ばねとか他の形状のバネ等を使用することができる。ガイドローラー及びスプリングの数や設置位置等も図示した数や位置に限らず、任意の数や位置とすることができる。
【００２０】
ガイドローラー３９ａ、３９ｂにガイドされて、回転走行体３１の下方走行部３２は、図４（ａ）に示すように、出口６０側に向けて次第に上り傾斜にしてある。上り傾斜部分の送り片１０は、水平部分の送り片１０よりも貝移動通路３内に深く入り込まないため、図４（ａ）に示すように貝Ｓに触れる接触面積が次第に少なくなる。従って、前記上り傾斜部分の下を通過する貝Ｓは移送速度が落とされ、貝が勢い良く送り出されることが無いため、貝の損傷を防ぐことができる。ガイドローラー３９が下方走行部３２を上り傾斜とする角度や上り傾斜部分の長さ等については、移送する貝の種類や形状や大きさ等、減速の必要に応じて任意の角度とすることができる。
【００２１】
図２に示すように貝移送体４にはその入口５０側の高さを調節可能な入口側高さ調節機構を備えている。その高さ調節機構はフレーム３８のブラケットに固定されているナット５３にボルト５２が縦向きにねじ込まれており、貝移送体４の入口５０側を貝移動通路３側におろしたときに、前記ボルト５２の頭部５４が取付け枠４１から横に突出させた支持台５１に突き当たるようにしてある。このボルト５２のねじ込み量を変えることにより、ボルト５２の頭部５４側（下方側）の突出量が変化して、支持台５１へのボルト５２の頭部５４の突き当たり位置が変わり、貝移送体４の入口５０側の高さが調節されるようにしてある。
【００２２】
図１に示す回転式の二本の汚れ除去具５ａ、５ｂの夫々は、一本の回転軸１２に図６（ａ）（ｂ）に示すような形状の多数の爪取付盤１３が間隔をあけて取付けられている。図６（ａ）の爪取付盤１３はゴム、樹脂等の弾性を有する素材により円盤状に成形され、その中心に中心孔１４が開口されたものであって、外周寄りの箇所に開口部１５を一定間隔で開口して、開口部１５の間の連結部１６に弾性を付与し、連結部１６の外側の外輪部１７の外周面にＬ字状の金属製の爪９を取付けてある。
【００２３】
図６（ｂ）に示す爪取付盤１３はゴム、樹脂等の弾性を有する素材により円盤状の中心部１８から外側に多数枚の羽根１９が放射状に突設され、中心部１８の中心に中心孔１４が開口され、夫々の羽根１９の先端寄りに金属製の爪９が取り付けられている。図６（ａ）の場合も図６（ｂ）の場合も爪９の取付けにはボルトとナットを使用したり、接着剤を使用したりすることが出来る。
【００２４】
汚れ除去具５ａ、５ｂは図７に示すようなものでもよい。これらは、上下に離して対向させた二本の回転軸１０１の軸方向に間隔をあけて多数個の回転盤１０２を取付け、上下の回転盤１０２にベルト１０３を掛け、そのベルトに１０３に爪１０５を取付けたものである。この二本の汚れ除去具５ａ、５ｂは貝移動通路３の幅方向両外側に配置されて、爪１０５の先端側が貝移動通路３内に突出して、貝移動通路３内を移送される貝の表面の汚れを掻き落とすことができる。
【００２５】
２本の汚れ除去具５ａ、５ｂのうち１本は図１に示すように貝移動通路３の入口５０側から出口６０側に向けて下り傾斜に配置され、他の1本は入口５０側から出口６０側に向けて上り傾斜に配置されている。２本の汚れ除去具５ａ、５ｂ間の間隔は、入口５０側も出口６０側も等間隔としてある。このように、２本の汚れ除去具５ａ、５ｂを傾斜させて配置することにより、一方の汚れ除去具は入口５０側で貝の上部に、出口６０側で貝の下部に接触して貝表面全般の付着物を掻き落とすことができる。他方の汚れ除去具は入口５０側で貝の下部に、出口６０側で貝の上部に接触して貝表面全般の付着物を掻き落とすことができる。更に、２本の汚れ除去具５ａ、５ｂの入口５０側と出口６０側への下り傾斜を逆にすることにより、貝の右側と左側とで、両汚れ除去具５ａ、５ｂが反対側の面の貝の異なる部分（一方が貝の片面の上部、他方が貝の他面の下部）に接触するので、貝の挟着力が増し、貝を安定した状態にして清浄することができる。汚れ除去具５ａ、５ｂの配置は、この傾斜方向や、間隔には限られず、任意の配置とすることができる。
【００２６】
図１、図８に示すように、前記汚れ除去具５ａ、５ｂａの夫々の回転軸１２の入口５０側端部には、プーリー６１ａ、６１ｂが備えられており、両プーリー６１ａ、６１ｂと駆動プーリー６２（図８）及びガイドプーリー６３（図８）に伝達ベルト６４が掛けられている。駆動プーリー６２は図３に示すように、駆動軸６５によって駆動源（例えば、エンジン）２３の回転によって回転する伝達プーリー６６と接続され、駆動源２３の回転によって回転するようにしてある。駆動プーリー６２が回転すると（図８矢印ａ方向）、両プーリー６１ａ及び６１ｂが共に貝移動通路３に対して下向き方向（図８矢印ｂ方向）に回転し、図８に示すように二本の汚れ除去具５ａ、５ｂを回転させて（図９矢印ｃ方向）、爪９によって貝Ｓの表面の汚れを掻き落として貝Ｓの表面を清浄することができる。
【００２７】
図１、図１０に示すように、汚れ除去具５ａ、５ｂの回転軸１２の入口５０側の端部には、ユニバーサルジョイント２２が備えられ、掃除具５ａ、５ｂの回転軸１２を上り傾斜や下り傾斜にしても、駆動軸６５の回転力を確実に回転軸１２に伝達することができるようにしてある。このため、傾斜角度、傾斜方向の異なる二本の回転軸１２同士を水平な駆動軸６５に連結して一つの動力源で回転させることができる。
【００２８】
また、図１１に示すように、汚れ除去具５ａ、５ｂの回転軸１２の入口５０側の端部を、架台１のフレーム３８に固定している回転軸固定具６７には、長穴（図示しない）が形成され、調整ボルト６８のナット位置を調節することによって、同図中矢印に示すように、回転軸１２の設置位置を上下左右に移動させられるようにしてある。なお、本実施形態の回転軸固定具６７は、同図に示すように傾けて設置され、貝移動通路３のＶ字型形状に沿って上下方向の調節ができるようにしてある。
【００２９】
図３及び図９に示すように、架台１上には、駆動源収容箱１１及びクラッチ２４が備えられている。前記駆動源収容箱１１は、側方開口の箱型の筐体であり、その内部には、駆動源２３及び減速機２５が備えられている。駆動源２３としては、モータやエンジン等を用いることができる。図９に示すように、駆動源２３の動力プーリー６９と、前記汚れ除去具５ａ、５ｂ用の伝達プーリー６６及び減速機２５の伝達プーリー７０とに、駆動ベルト７１が掛けられている。駆動ベルト７１は、前記クラッチ２４を用いてテンションを与えないと、駆動源２３の回転力を他のプーリーに伝達できないようにゆるく掛けられている。
【００３０】
前記クラッチ２４は、クラッチレバー２６及びクラッチ軸２７及びテンションローラー２８からなる。クラッチ２４は、クラッチレバー２６のＯＮ−ＯＦＦ操作に応じてテンションローラー２８をＯＮ側、ＯＦＦ側に夫々動かすことができるものである（図９参照）。前記クラッチ２４は、クラッチレバー２６をＯＮ側に操作すると、前記駆動ベルト７１にテンションローラー２８を押し付けて（図９矢印ＯＮ方向）、駆動ベルト７１にテンションを与えて、駆動源２３の回転力が各プーリーに伝達されるようにすることができるようにしてある。また、クラッチ２４は、クラッチレバー２６をＯＦＦ側に操作して、前記駆動ベルト７１からテンションローラー２８を離すと（図９矢印ＯＦＦ方向）、駆動ベルト７１にテンションがなくなり、駆動源２３の動力プーリー６９が空回りして、回転力が前記汚れ除去具５ａ、５ｂ用の伝達プーリー６６と減速機２５の伝達プーリー７０とに伝わらず、貝移送体４及び汚れ除去具５ａ、５ｂのいずれにも動力が供給されないようにすることができるようにもしてあるものである。
【００３１】
従って、前記クラッチ２４によって前記駆動ベルト７１にテンションを与えた状態の下で、駆動源２３を回転させると、回転力が前記汚れ除去具５ａ、５ｂ用の伝達プーリー６６及びと減速機２５の伝達プーリー７０とに伝わる。前記のように、汚れ除去具５ａ、５ｂ用の伝達プーリー６６は、前記駆動プーリー６２と接続されており、伝達プーリー６６の回転によって、汚れ除去具５ａ、５ｂが回転するようにしてある。また、減速機２５の伝達プーリー７０は、減速機２５内部に回転力を伝達するものであり、減速機２５によって減速された回転力は、減速機２５の駆動プーリー７２に伝達され、駆動プーリー７２の回転によって、回転走行体３１が図１の矢印ａ方向（貝移動通路３の入口５０側から出口６０側）に回転する。
【００３２】
前記各種プーリーと、ベルトは、夫々スプロケット及びチェーンで置き換えることも可能である。
【００３３】
（使用例１）
本実施形態の貝殻表面清浄機を用いて、貝の表面を清浄するには、以下のようにする。
１．クラッチ２４をＯＮ側に操作した上で、駆動源２３を回転させて貝移送体４の回転走行体３１及び汚れ除去具５ａ、５ｂの回転軸１２を回転させる。
２．貝移動通路３の入口５０側のホッパー５５に帆立貝などの貝Ｓを手作業で投入する。
３．ホッパー５５内の貝Ｓは回転する貝移送体４の送り片１０に引かれて貝移動通路３内に落下する。
４．貝移動通路３内の縦向きの貝Ｓは貝移送体４の送り片１０により押されて回転しながら、貝移動通路３の入口５０側から出口６０側に移動される。この際、スプリング４４ａ、４４ｂによって下方に付勢されたガイドローラー３９ａ、３９ｂによって、投入された貝Ｓの大きさ、形状に合わせて下方走行部３２が上下するため、貝Ｓをスムースに移動させることができる。
５．貝移動通路３内の縦向きの貝Ｓが移動する間に、貝移動通路３の左右両外側の汚れ除去具５ａ、５ｂの爪９が貝移動通路３の開口部８から貝移動通路３内に突出して、貝Ｓ表面の付着物が掻き落とされる。この場合、一方の汚れ除去具５ｂの回転軸１２が入口側から出口側に下り傾斜に、他方の汚れ除去具５ａの回転軸１２が入口側から出口側に上り傾斜になっているため、汚れ除去具５ａ、５ｂの爪９が貝表面の下から上まで接触し、更に、貝Ｓが回転しながら移動されるため、汚れ除去具５ａ、５ｂの爪９が貝表面全般に接触し、貝表面全般が掃除される。
６．大きな貝Ｓを移送する際や、貝Ｓが貝移動通路３内で高さ方向に重なった場合等であっても、回転走行体３１の駆動輪３６の回転軸４０を軸として、貝移送体４の入口５０側を上方に開いたり、上記のようにスプリング４４ａ、４４ｂによって下方に付勢されたガイドローラー３９ａ、３９ｂによって、下方走行部３２を上下させることによって、貝Ｓが詰まることなくスムースに移送される。
７．貝移動通路３の出口６０側付近では、回転走行体３１が、ガイドローラー３９ａ、３９ｂによって、下方走行部３２が出口６０側にむけて次第に上り傾斜となるようにガイドされ、上り傾斜とされた部分の送り片１０は、貝移動通路３内の底部７７まで入りこまないため、送り片１０が貝Ｓに触れる接触面積が次第に少なくなり、貝Ｓの移送速度を落とすことができ、貝Ｓの損傷を防ぐことができる。
８．貝移動通路３内で付着物が掻き落とされた貝Ｓは送り片１０により押されて貝移動通路３内の出口６０から排出され、出口６０の下方に配置してある容器内に落下し、回収される。
９．前記１〜６の作業により、ホッパー５５に投入される貝Ｓが次から次へと清浄される。
【００３４】
（使用例２）
本実施形態の貝殻表面清浄機の貝移動通路３及び貝移送体４を掃除、点検、修理等する際は、以下のようにする。
１．クラッチ２４をＯＦＦ側に操作しておき、貝移送体４及び汚れ除去具５ａ、５ｂに駆動源２３の回転力が伝達されないようにする。
２．貝移送体４の入口５０側を、ハンドル３４を握って、駆動輪３６の回転軸４０を軸にして、図２に示すようにカバー３０ごと上方へ持ち上げる。
３．貝移送体４を持ち上げた状態で、支持軸４２をハンドル３４と架台１との間に備えて保持し、貝移動通路３内に詰まった貝を除去したり、貝移動通路３内及び貝移送体４の掃除、点検、修理等任意の作業を行う。
４．作業が終わったら、ハンドル３４を握って、駆動輪３６の回転軸４０を軸にして、貝移送体４の入口５０側を降ろす。
５．再度作業を行う場合は、上記１〜４の工程を繰り返す。
【００３５】
（実施形態２）
前記実施形態１においては、掃除具５ａ、５ｂの回転軸１２の入口５０側端部に、プーリー６１ａ、６１ｂを備えたが、本発明の貝表面清浄機は、図１２に示すように、前記掃除具５ａ、５ｂの回転軸１２の端部に、空気の入ったタイヤ８０ａ、８０ｂを取付けて、駆動源２３の回転力を両回転軸１２に伝達させることも可能である。両タイヤ８０ａ、８０ｂ同士はその曲面同士が面で接しており、十分な摩擦力が働くようにしてある。二本の汚れ除去具５ａ、５ｂに備えられる回転駆動輪は、図に示すような空気の入ったタイヤ８０ａ、８０ｂには限られず、その他、中実のゴム製の外周が円型のドラムや、ギア等を用いることもできる。
【００３６】
（実施形態３）
本発明の貝表面清浄機の実施形態の他の例について説明する。前記実施形態１においては、駆動輪３６の回転軸４０を軸として、貝移送体４の入口５０側を上方へ持ち上げ可能としていたが、貝移送体４の入口５０側を持ち上げるための軸は、前記駆動輪３６の回転軸４０には限られず、別途回転走行体３１の内側に備えることもできる。
【００３７】
（その他の実施形態）
本発明の貝表面清浄機の貝移送体のカバーは、着脱自在のものとすることもできる。また、貝移送体及びカバーの構造や形状は、前記のものには限られず、任意の構成及び形状とすることができる。
【産業上の利用可能性】
【００３８】
本発明の貝表面清浄機は、貝のみならず、他の円盤状の工業製品等の研磨にも応用することができる。
【図面の簡単な説明】
【００３９】
【図１】本発明の貝表面清浄機の実施形態の一例を示す正面図。
【図２】図１に示す貝表面清浄機の使用中の様子を示す正面図。
【図３】図１に示す貝表面清浄機を示す平面図。
【図４】（ａ）は、図１に示す貝表面清浄機の貝移送体を示す正面図。（ｂ）は、（ａ）に示す貝表面清浄機の貝移送体を示す側面断面図。（ｃ）は、（ａ）に示す貝表面清浄機の貝移送体を示す平面図。
【図５】（ａ）は、図１に示す貝表面清浄機の貝移動通路の様子を示す平面図。（ｂ）は、（ａ）に示す貝移動通路と回転軸との関係を示す説明正面図。
【図６】（ａ）は、図１に示す貝表面清浄機に用いる爪取付盤の正面図。（ｂ）は、図１に示す貝表面清浄機に用いる他の爪取付盤の正面図。
【図７】図１に示す貝表面清浄機の汚れ除去具の他の例を示す斜視図。
【図８】図１に示す貝表面清浄機を示す側面説明図。
【図９】図１に示す貝表面清浄機の内部の様子を示す断面説明図。
【図１０】図１に示す貝表面清浄機の汚れ除去具の様子を示す平面説明図。
【図１１】図１に示す貝表面清浄機の汚れ除去具の回転軸の取付けの様子を示す側面説明図。
【図１２】本発明の貝表面清浄機の実施形態の一例を示す側面説明図。
【符号の説明】
【００４０】
１  架台
２  支持脚
３  貝移動通路
４  貝移送体
５ａ  汚れ除去具
５ｂ  汚れ除去具
７  棒材
８  開口部
９  爪
１０  送り片
１１  駆動源収容箱
１２  回転軸
２２  ユニバーサルジョイント
２４  クラッチ
３０  カバー
３１  回転走行体
３２  下方走行部
３５  従動輪
３６  駆動輪
３９ａ、３９ｂ  ガイドローラー
４０  回転軸
４１  取付け枠
４４ａ、４４ｂ  スプリング
【図１】
2005192428.tif 000003
【図２】
2005192428.tif 000004
【図３】
2005192428.tif 000005
【図４】
2005192428.tif 000006
【図５】
2005192428.tif 000007
【図６】
2005192428.tif 000008
【図７】
2005192428.tif 000009
【図８】
2005192428.tif 000010
【図９】
2005192428.tif 000011
【図１０】
2005192428.tif 000012
【図１１】
2005192428.tif 000013
【図１２】
2005192428.tif 000014